(57)【要約】【課題】商品の販売促進や顧客の再来店の促進に対する寄与度の高いクーポンに香りを付着させることができるクーポン発行システムを提供すること。【解決手段】クーポン発行機能を備えるＰＯＳシステム１は、ＰＯＳレジスター５と、ＰＯＳレジスター５と通信可能に接続されているプリンター８を備える。プリンター８は、複数のクーポン印刷データを香りと対応付けた形態で記憶保持しているクーポンデータベース３４と、レシートを印刷するためにＰＯＳレジスター５からプリンター８に送信された決済情報に基づいてクーポンデータベース３４からクーポン印刷データを選択し、プリンター８からクーポンを発行するクーポン選択発行部３５と、記録用紙１７へのクーポン印刷データの印刷の後に、クーポンとして発行される記録用紙１７の領域にクーポン印刷データに対応付けられている香りを付ける香り付け機構２０を備える。【選択図】図２
2012173908.tif 000002
【特許請求の範囲】
【請求項１】
ＰＯＳレジスターと、
前記ＰＯＳレジスターと通信可能に接続されているプリンターと、
複数のクーポン印刷データを香りと対応付けた形態で記憶保持しているクーポン印刷データ記憶保持部と、
レシートを印刷するために前記ＰＯＳレジスターから前記プリンターに送信された決済情報に基づいて前記クーポン印刷データ記憶保持部から前記クーポン印刷データを選択し、当該クーポン印刷データを用いて前記プリンターからクーポンを発行するクーポン選択発行部と、
記録用紙への前記クーポン印刷データの印刷中、或いは、前記記録用紙への前記クーポン印刷データの印刷に前後して、前記クーポンとして発行される前記記録用紙の領域に当該クーポン印刷データに対応付けられている香りを付ける香り付け機構とを備えることを特徴とするクーポン発行システム。
【請求項２】
請求項１において、
前記プリンターは、前記クーポン印刷データ記憶保持部、クーポン選択発行部、および、香り付け機構を備えていることを特徴とするクーポン発行システム。
【請求項３】
請求項１または２において、
前記香り付け機構は、前記クーポン印刷データに対応付けられている香りに対応する香料を前記記録用紙に付着させることを特徴とするクーポン発行システム。
【請求項４】
請求項１または２において、
前記香り付け機構は、複数の香料を前記記録用紙に付着させて当該記録用紙に前記クーポン印刷データに対応付けられている香りを付けることを特徴とするクーポン発行システム。
【請求項５】
請求項１ないし４のうちのいずれかの項において、
前記クーポン選択発行部は、前記決済情報に含まれている商品名に基づいて前記クーポン印刷データを選択することを特徴とするクーポン発行システム。
【請求項６】
請求項１ないし４のうちのいずれかの項において、
前記クーポン選択発行部は、前記決済情報に含まれている決済の日付、曜日、または、時刻に基づいて前記クーポン印刷データを選択することを特徴とするクーポン発行システム。
【請求項７】
請求項１ないし４のうちのいずれかの項において、
前記クーポン選択発行部は、前記決済情報に含まれている決済金額に基づいて前記クーポン印刷データを選択することを特徴とするクーポン発行システム。
【請求項８】
請求項１ないし７のうちのいずれかの項において、
カメラと、
前記プリンターと通信可能に接続されており、前記カメラからの映像に基づいて前記顧客の性別および年齢層の少なくとも一つを顧客属性情報として取得する顧客属性情報取得部とを有し、
前記クーポン選択発行部は、顧客属性情報および前記決済情報の少なくとも一方に基づいて前記クーポン印刷データを選択することを特徴とするクーポン発行システム。
【請求項９】
複数のクーポン印刷データを香りと対応付けた形態で記憶保持し、
ＰＯＳレジスターから当該ＰＯＳレジスターに接続されているプリンターに送信されるレシート印刷用データに基づいて、前記複数のクーポン印刷データの中からクーポン印刷データを選択し、
選択された前記クーポン印刷データを用いて前記プリンターからクーポンを発行し、
前記クーポンの発行中、或いは、前記クーポンの発行に前後して、前記クーポンとして発行される記録用紙の領域に選択された前記クーポン印刷データに対応付けられている香りを付着させることを特徴とするクーポン発行方法。
【発明の詳細な説明】
【技術分野】
【０００１】
本発明は、香り付きクーポンを発行することができるクーポン発行システムおよびクーポン発行方法に関する。
【背景技術】
【０００２】
店舗のＰＯＳレジスターに接続されて香り付きレシートを発行するプリンターは特許文献１に記載されている。同文献ではＰＯＳレジスターに顧客操作用のタッチパネルが接続されており、精算中の顧客がタッチパネルに表示された複数の香りから好みの香りを選択すると、プリンターからは選択された香りの付いたレシートが発行される。
【先行技術文献】
【特許文献】
【０００３】
【特許文献１】特開２００３−１８７３３３号公報
【発明の概要】
【発明が解決しようとする課題】
【０００４】
ここで、香り付きレシートの発行は店舗イメージの向上に寄与するが、商品の販売促進や顧客の再来店の促進に直接的に寄与するものとは言い難い。
【０００５】
本発明の課題は、この点に鑑みて、商品の販売促進や顧客の再来店の促進に対する寄与度の高いクーポンに香り付けることができるクーポン発行システムおよびクーポン発行方法を提案することにある。
【課題を解決するための手段】
【０００６】
上記の課題を解決するために、本発明のクーポン発行システムは、
ＰＯＳレジスターと、
前記ＰＯＳレジスターと通信可能に接続されているプリンターと、
複数のクーポン印刷データを香りと対応付けた形態で記憶保持しているクーポン印刷データ記憶保持部と、
レシートを印刷するために前記ＰＯＳレジスターから前記プリンターに送信された決済情報に基づいて前記クーポン印刷データ記憶保持部から前記クーポン印刷データを選択し、当該クーポン印刷データを用いて前記プリンターからクーポンを発行するクーポン選択発行部と、
記録用紙への前記クーポン印刷データの印刷中、或いは、前記記録用紙への前記クーポン印刷データの印刷に前後して、前記クーポンとして発行される前記記録用紙の領域に当該クーポン印刷データに対応付けられている香りを付ける香り付け機構とを備えることを特徴とする。
【０００７】
本発明のクーポン発行システムによれば、レシートを印刷するための決済情報に基づいてクーポンが発行されるので、顧客が購入した商品、顧客の決済金額などに基づいて、顧客に特化したクーポンを発行することができる。すなわち、顧客が使用する可能性の高く、商品の販売促進効果が見込めるクーポンを発行することができる。また、発行されたクーポンには、このクーポンを発行するためのクーポン印刷データに対応付けられている香りが付着している。すなわち、クーポンには嗅覚に訴える“香り”という要素が付加されているので、視覚のみに訴える一般的なクーポンと比較して、クーポンに対する顧客の興味を喚起することができる。従って、クーポンの使用による商品の販売量の増加や、クーポンを使用するための顧客の再来店を見込むことができる。
【０００８】
本発明において、前記プリンターは、前記クーポン印刷データ記憶保持部、クーポン選択発行部、および、香り付け機構を備えていることが望ましい。このようにすれば、ＰＯＳレジスターに内蔵或いは外付けされているプリンターを交換することにより、ＰＯＳシステムから香り付きクーポンを発行できる。
【０００９】
本発明において、クーポンに香りを付けるためには、前記香り付け機構は、前記クーポン印刷データに対応付けられている香りに対応する香料を前記記録用紙に付着させることが望ましい。
【００１０】
また、本発明において、クーポンに香りを付けるためには、前記香り付け機構は、複数の香料を前記記録用紙に付着させて当該記録用紙に前記クーポン印刷データに対応付けられている香りを付けることが望ましい。このようにすれば、少ない香料でクーポンに付ける香りの種類を増加させることができる。
【００１１】
本発明において、前記クーポン選択発行部は、前記決済情報に含まれている商品名に基づいて前記クーポン印刷データを選択することが望ましい。このようにすれば、例えば、決済情報に含まれている商品を次に購入する際に値引きを受けることができるクーポンを発行して、当該商品の販売を促進することができる。或いは、決済情報に含まれている商品と同じ商品カテゴリーに含まれる他の商品の販売量を増やしたい場合には、販売量を増やしたい商品を購入する際に値引きを受けることができるクーポンを発行することができる。また、これらのクーポンを発行する場合には、クーポンに値引き対象となる商品を連想させる香りを付着させておけば、商品に対する顧客の興味を喚起することができる。
【００１２】
また、本発明において、前記クーポン選択発行部は、前記決済情報に含まれている決済の日付、曜日、または、時刻に基づいて前記クーポン印刷データを選択してもよい。このようにすれば、日替わりで、或いは、午前と午後で異なるクーポンが発行されるので、クーポンに対する顧客の興味を喚起することができる。
【００１３】
さらに、前記クーポン選択発行部は、前記決済情報に含まれている決済金額に基づいて前記クーポン印刷データを選択してもよい。このようにすれば、例えば、決済金額の大きな顧客に対して優遇した特典内容のクーポンを発行できるので、顧客を囲い込むことができる。
【００１４】
本発明において、カメラと、前記プリンターと通信可能に接続されており、前記カメラからの映像に基づいて前記顧客の性別および年齢層の少なくとも一つを顧客属性情報として取得する顧客属性情報取得部とを有し、前記クーポン選択発行部は、顧客属性情報および前記決済情報の少なくとも一方に基づいて前記クーポン印刷データを選択することが望ましい。このようにすれば、顧客の性別や年齢層に基づいてクーポンを発行することが可能となるので、より顧客に特化したクーポンを発行することができる。
【００１５】
次に、本発明のクーポン発行方法は、
複数のクーポン印刷データを香りと対応付けた形態で記憶保持し、
ＰＯＳレジスターから当該ＰＯＳレジスターに接続されているプリンターに送信されるレシート印刷用データに基づいて、前記複数のクーポン印刷データの中からクーポン印刷データを選択し、
選択された前記クーポン印刷データを用いて前記プリンターからクーポンを発行し、
前記クーポンの発行中、或いは、前記クーポンの発行に前後して、前記クーポンとして発行される記録用紙の領域に選択された前記クーポン印刷データに対応付けられている香りを付着させることを特徴とする。
【００１６】
本発明のクーポン発行方法によれば、レシートを印刷するための決済情報に基づいてクーポンが発行されるので、顧客が購入した商品、顧客の決済金額などに基づいて、顧客に特化したクーポンを発行することができる。すなわち、顧客が使用する可能性の高く、商品の販売促進効果が見込めるクーポンを発行することができる。また、発行されたクーポンには、このクーポンを発行するためのクーポン印刷データに対応付けられている香りが付着している。すなわち、クーポンには嗅覚に訴える”香り”という要素が付加されているので、視覚のみに訴える一般的なクーポンと比較して、クーポンに対する顧客の興味を喚起することができる。従って、クーポンの使用による商品の販売量の増加や、クーポンを使用するための顧客の再来店を見込むことができる。
【発明の効果】
【００１７】
本発明によれば、レシートを印刷するための決済情報に基づいてクーポンが発行されるので、顧客に特化したクーポンを発行することができる。また、発行されたクーポンには、このクーポンを発行するためのクーポン印刷データに対応付けられている香りが付着しているので、一般的なクーポンと比較して、クーポンに対する顧客の興味を喚起することができる。従って、クーポンの使用による商品の販売量の増加や、クーポンを使用するための顧客の再来店を見込むことができる。
【図面の簡単な説明】
【００１８】
【図１】ＰＯＳシステムおよびプリンターの概略構成図である。
【図２】クーポン発行システムの制御系を示す概略ブロック図である。
【図３】クーポン発行処理動作のフローチャートである。
【発明を実施するための形態】
【００１９】
以下に、図面を参照して、本発明のクーポン発行システムの実施形態であるＰＯＳシステムを説明する。
【００２０】
（全体構成）
図１（ａ）は本発明を適用したＰＯＳシステムの概略システム構成図であり、図１（ｂ）はプリンターの主要部分の概略構成図である。本例のＰＯＳシステム（クーポン発行システム）１は、商品コード、商品名、金額、在庫などを記憶保持している商品データベース２および販売会計処理用データベース３を備えるＰＯＳ用サーバー４と、このＰＯＳ用サーバー４にＬＡＮなどのネットワークを介して通信可能に接続されており、店舗のレジカウンターに設置されているＰＯＳレジスター５と、ＰＯＳレジスター５に通信可能に接続されているバーコードリーダー６、顧客用ディスプレイ７、および、プリンター８を有している。ＰＯＳレジスター５は、オペレーター用ディスプレイ９とキーボード１０を備えている。
【００２１】
プリンター８は、その筐体１２の内部にロール紙収納部１３と、ロール紙収納部１３から印刷位置Ａおよび香り付け位置Ｂをこの順番で経由して筐体１２の上面の用紙搬出口１４に至る用紙搬送路１５を備えている。また、プリンター８は、ロール紙収納部１３に収納されたロール紙１６から繰り出される長尺状の記録用紙１７を用紙搬送路１５に沿って搬送するための用紙搬送機構１８と、記録用紙１７に印刷を行うための印刷機構１９と、印刷用紙に香りを付ける香り付け機構２０を備えている。
【００２２】
印刷機構１９は、印刷位置Ａに配置されているサーマルヘッド２１を備えている。香り付け機構２０は、香料吐出ヘッド２２と、香料吐出ヘッド２２に液体の香料を供給するための香料供給機構２３を備えている。なお、香料吐出ヘッド２２および香料供給機構２３は、インクジェットプリンターにおけるインクジェットヘッドおよびインク供給機構と同様の構成を備えており、香料供給機構２３によって数種類の香料を香料吐出ヘッド２２に供給し、香料吐出ヘッド２２から所定の香料を記録用紙１７に吐出して、クーポンとして発行される記録用紙１７の領域に香りを付ける。本例では、香料供給機構２３によって香料吐出ヘッド２２にペパーミントの香料、フローラル系の香料、ローズヒップの香料の３種類の香料が供給されている。香料吐出ヘッド２２は用紙搬送路１５に対して、サーマルヘッド２１と同じ側に配置されており、クーポンの表面側に香りを付ける。
【００２３】
ここで、ＰＯＳシステム１は、ＰＯＳレジスター５において顧客による決済が行われると、レシートを発行する際に、レシートを印刷するためにＰＯＳレジスター５からプリンター８に送信された決済情報に基づいて、プリンター８から香り付きクーポンを発行する。
【００２４】
（プリンターの制御系）
図２はプリンター８の制御系を示す概略ブロック図である。プリンター８は、ＰＯＳレジスター５との間で通信を行うための通信インターフェース３０と、ＣＰＵ、ＲＯＭおよびＲＡＭを備える制御部３１を備えている。制御部３１は、印刷機能を司る印刷制御部３２と、クーポンを発行するためのクーポン発行制御部３３を備えている。クーポン発行制御部３３は、クーポンデータベース（クーポン印刷データ記憶保持部）３４と、クーポン選択発行部３５を備えている。制御部３１の出力側には用紙搬送機構１８、印刷機構１９および香り付け機構２０が接続されている。
【００２５】
印刷制御部３２は、レシートを印刷するための決済情報の供給を受けると、用紙搬送機構１８および印刷機構１９を駆動制御して、記録用紙１７にレシートを印刷する。また、クーポン発行部の側からクーポンを発行するためのクーポン印刷データの供給を受けると、用紙搬送機構１８および印刷機構１９を駆動制御して、記録用紙１７にクーポンを印刷する。
【００２６】
クーポンデータベース３４は、特典内容の異なるクーポンを発行するための複数のクーポン印刷データを香料、商品、日付、決済金額などと対応付けた形態で記憶保持している。例えば、購買代金から５％の値引きを行うクーポンを発行するためのクーポン印刷データは、ペパーミントの香料、決済金額６０００円以上、などと対応付けられて記憶保持されている。また、予め定めた特定商品を購買した場合に、この特定商品の販売価格から値引きを行うクーポンを発行するためのクーポン印刷データは、特定商品を連想させるフローラル系の香料、特定商品の商品名、などと対応付けられて記憶保持されている。さらに、販売促進キャンペーン中のキャンペーン商品を購入した場合に、このキャンペーン商品の販売価格から値引きを行うクーポンを発行するためのクーポン印刷データは、ローズヒップの香料、キャンペーン商品の商品名と、キャンペーンを実施している期間の前半の日付、などが対応付けられて記憶保持されている。
【００２７】
クーポン選択発行部３５は、レシートを印刷するためにＰＯＳレジスター５からプリンター８に送信された決済情報に基づいてクーポンデータベース３４からクーポン印刷データを選択し、このクーポン印刷データを用いてプリンター８からクーポンを発行する。より具体的には、クーポン選択発行部３５は、決済情報に含まれている購入商品の商品名、決済金額、決済日などの少なくとも一つを検索キーとしてクーポンデータベース３４にアクセスし、検索キーに関連付けられている少なくとも一つのクーポン印刷データを抽出して印刷制御部３２に送信し、クーポンを印刷する。また、香り付け機構２０を駆動制御して、抽出したクーポン印刷データに関連付けられている香料を所定のタイミングで香料吐出ヘッド２２から吐出させて、記録用紙１７におけるクーポン印刷データの印刷対象領域に当該香料を付着させて、香り付きクーポンを発行する。
【００２８】
（決済処理動作およびクーポン発行処理動作）
次に、クーポンを発行するクーポン発行処理動作を、ＰＯＳシステム１における決済処理動作と併せて説明する。図３はクーポン発行処理動作のフローチャートである。
【００２９】
買い物を終了した顧客が店舗のレジカウンターを訪れると、ＰＯＳレジスター５のオペレーターは、顧客の購買商品の精算処理を開始する。精算処理では、ＰＯＳレジスター５には、オペレーターによるキーボード１０の操作、或いは、バーコードリーダー６による商品バーコードの読み取りによって購買商品の商品情報が入力される。ＰＯＳレジスター５は入力された商品情報をＰＯＳ用サーバー４に送信する。ＰＯＳ用サーバー４は、商品情報を受け取ると、商品データベース２から商品コード、商品名、金額等の情報を抽出し、ＰＯＳレジスター５の側の精算および表示に利用する精算データを生成して、ＰＯＳレジスター５に送信する。
【００３０】
次に、ＰＯＳ用サーバー４からの精算データをＰＯＳレジスター５が受け取ると、ＰＯＳレジスター５は精算データを基に精算情報を生成し、この精算情報をオペレーター用ディスプレイ９および顧客用ディスプレイ７に表示する。精算情報は、例えば、商品名、単価、購買個数、購買商品毎の合計金額である。これらの精算処理動作は、オペレーターによって商品情報の入力を終了するキーボード１０の操作が行われるまでの間、商品情報の入力が行われる毎に繰り返される。その後、オペレーターによって商品情報の入力を終了するキーボード１０の操作が行われると、顧客用ディスプレイ７およびオペレーター用ディスプレイ９には、精算データに基づいて生成された合計金額が表示され、これにより精算処理が終了する。
【００３１】
精算処理が終了して顧客が決済を行うと、オペレーターによるキーボード１０の操作によってＰＯＳレジスター５に顧客の決済金額が入力される。ＰＯＳレジスター５は決済金額と精算データに基づいて決済情報を生成し、この決済情報をプリンター８に送信する。また、決済情報はＰＯＳレジスター５からＰＯＳ用サーバー４に送信され、販売会計処理用データベース３に記憶保持される。ここで、決済情報は、レシートに印刷される内容と同様の情報であり、例えば、購買商品の商品面、単価、購買個数、購買商品毎の合計金額、決済金額、レシートを発行した日時などが含まれている。
【００３２】
プリンター８が決済情報を受信すると（ステップＳＴ１）、印刷制御部３２は印刷機構１９を駆動制御してレシートを発行する（ステップＳＴ２）。また、クーポン選択発行部３５は、決済情報に基づいてクーポンデータベース３４からクーポン印刷データを抽出し（ステップＳＴ３）、このクーポン印刷データを印刷制御部３２に送信して、記録用紙１７にクーポン印刷データを印刷する（ステップＳＴ４）。さらに、クーポン選択発行部３５は、香り付け機構２０を駆動制御して、クーポン印刷データに関連付けられている香料を記録用紙１７のクーポン印刷データの印刷対象領域に付着させて、香り付きクーポンを発行する（ステップＳＴ５）。
【００３３】
例えば、クーポン選択発行部３５は、決済情報に含まれている決済金額である「７０００円」を検索キーとしてクーポンデータベース３４にアクセスし、購買代金から５％の値引きを行うクーポンを発行するためのクーポン印刷データを抽出して印刷制御部３２に送信し、当該クーポン印刷データを印刷する。これと並行して、クーポン選択発行部３５は、香り付け機構２０を駆動制御して、抽出したクーポン印刷データに対応付けられているペパーミントの香料を香料吐出ヘッド２２から吐出して記録用紙１７に付着させて、香り付きクーポンを発行する。また、例えば、クーポン選択発行部３５は、決済情報に含まれている商品名である「○○柔軟剤」を検索キーとしてクーポンデータベース３４にアクセスする。この場合に、商品名と、特定商品の販売価格から値引きを行うクーポンを発行するためのクーポン印刷データが対応付けられていれば、当該クーポン印刷データを抽出して印刷制御部３２に送信し、当該クーポン印刷データを印刷する。これと並行して、クーポン選択発行部３５は、香り付け機構２０を駆動制御して、このクーポン印刷データに対応付けられているフローラル系の香料を香料吐出ヘッド２２から吐出して記録用紙１７に付着させて、香り付きクーポンを発行する。さらに、例えば、クーポン選択発行部３５は、決済情報に含まれている日付を検索キーとしてクーポンデータベース３４にアクセスする。この場合に、当該日付と、キャンペーン商品の販売価格から値引きを行うクーポンを発行するためのクーポン印刷データが対応付けられていれば、当該クーポン印刷データを抽出して印刷制御部３２に送信し、当該クーポン印刷データを印刷する。これと並行して、クーポン選択発行部３５は、香り付け機構２０を駆動制御して、このクーポン印刷データに対応付けられているローズヒップの香料を香料吐出ヘッド２２から吐出して記録用紙１７に付着させて、香り付きクーポンを発行する。
【００３４】
（作用効果）
本例のＰＯＳシステム１によれば、レシートを印刷するための決済情報に基づいてクーポンが発行されるので、顧客が購入した商品、顧客の決済金額などに基づいて、顧客に特化したクーポンを発行することができる。すなわち、顧客が使用する可能性の高く、商品の販売促進効果が見込めるクーポンを発行することができる。また、発行されたクーポンには、このクーポンを発行するためのクーポン印刷データに対応付けられている香りが付着しているので、視覚のみに訴える一般的なクーポンと比較して、クーポンに対する顧客の興味を喚起することができる。従って、クーポンの使用による商品の販売量の増加や、クーポンを使用するための顧客の再来店を見込むことができる。
【００３５】
さらに、本例によれば、クーポン選択発行部３５は、決済情報に含まれている決済金額、商品名、日付などに基づいてクーポン印刷データを選択して、クーポンを発行しているので、精算を行った顧客に特化したクーポンを発行することができる。従って、例えば、決済金額の大きな顧客に対して優遇した特典内容のクーポンを発行できるので、顧客を囲い込むことができる。また、決済情報に含まれている商品、或いは、当該商品を同じ商品カテゴリーに含まれる他の商品の販売量を増やしたい場合などに、目的に沿った特典内容のクーポンを発行することができる。さらに、期間を限定したキャンペーンなどに対応したクーポンを発行することができる。
【００３６】
なお、本例では、既に店舗に導入されているＰＯＳシステム１に対して、ＰＯＳレジスター５に内蔵或いは外付けされていたプリンターをプリンター８に交換することによって、ＰＯＳシステム１を香り付きクーポンの発行が可能なＰＯＳシステム１に変更している。すなわち、プリンター８がクーポンデータベース３４、クーポン選択発行部３５、および、香り付け機構２０を備えているので、既存のＰＯＳシステム１に香り付きクーポンを発行する機能を付加することが容易である。
【００３７】
（その他の実施の形態）
上記の例では、香り付け機構２０は、クーポン印刷データに対応付けられている香りに対応する香料を香料吐出ヘッド２２から吐出して記録用紙１７に付着させているが、香料吐出ヘッド２２から複数の香料を吐出して記録用紙１７に付着させて、記録用紙１７にクーポン印刷データに対応付けられている香りを付けてもよい。すなわち、記録用紙１７の付着した複数の香料によって、クーポン印刷データに対応付けられている香りが醸し出されるようにしてもよい。このようにすれば、少ない香料でクーポンに付ける香りの種類を増加させることができる。
【００３８】
また、上記の例では、香り付け機構２０が配置される香り付け位置Ｂは印刷位置Ａよりも用紙搬送方向の下流側に位置しているが、香り付け位置Ｂを印刷位置Ａよりも紙搬送方向の上流側に設定して、クーポン印刷データの印刷前に、クーポンとして発行される記録用紙１７の領域に香りを付けてもよい。また、香り付け位置Ｂと印刷位置Ａとを同一の位置として、クーポン印刷データの印刷と同時に香り付けを施してもよい。さらに、香料吐出ヘッド２２を、用紙搬送路１５を挟んでサーマルヘッド２１とは反対側に配置して、クーポンの裏面側に香りを付けてもよい。
【００３９】
また、上記の例では、プリンター８がクーポンデータベース３４、クーポン選択発行部３５、および、香り付け機構２０を備えているが、ＰＯＳ用サーバー４にクーポンデータベース３４を備えてもよい。この場合には、プリンター８を、ＰＯＳレジスター５を介してＰＯＳ用サーバー４と通信可能に接続し、クーポン選択発行部３５がクーポンデータベース３４にアクセスできるようにすればよい。或いは、プリンター８とＰＯＳ用サーバー４を直接通信可能に接続し、クーポン選択発行部３５がクーポンデータベース３４にアクセスできるようにすればよい。
【００４０】
なお、香り付け機構は、香料吐出ヘッド２２および香料供給機構２３を備える上記の香り付け機構２０に限定されるものではない。例えば、香り付け機構として、香料を染み込ませた多孔質の弾性体を、記録用紙１７のクーポンとして発行される領域に押し付けて香り付けを行うスタンプを採用してもよい。また、特開２００３−１８７３３３に開示されている香り付け機構２０、すなわち、ノズルを備えた香りタンクを傾斜させてノズルを記録用紙１７に接近させて香りを記録用紙１７の塗布する構成のものを採用してもよい。
【００４１】
また、上記の例では、プリンター８はサーマルヘッド２１を備えるサーマルプリンターであったが、インクジェットヘッドを備えるインクジェットプリンターとしてもよい。この場合には、インクジェットヘッドから香り付きのインクを吐出させることにより、記録用紙１７へのクーポン印刷データの印刷と香り付けとを同時に行ってもよい。
【００４２】
さらに、上記のＰＯＳシステム１に、レジカウンターで購買商品の精算処理を行なっている顧客の顔を撮影することが可能なカメラと、プリンター８と通信可能に接続されており、カメラからの映像に基づいて顧客の性別および年齢層の少なくとも一つを顧客属性情報として取得する顧客属性情報取得部を備え、クーポン選択発行部３５が、顧客属性情報および決済情報の少なくとも一つに基づいてクーポン印刷データを選択するように構成してもよい。このようにすれば、顧客の性別や年齢層に基づいてクーポンを発行することが可能となるので、より顧客に特化したクーポンを発行することができる。なお、カメラからの顧客の映像に基づいて顧客の性別および年齢層を取得する技術としては、周知の顔認識技術を用いることができる。
【符号の説明】
【００４３】
１・ＰＯＳシステム、２・商品データベース、３・販売会計処理用データベース、４・ＰＯＳ用サーバー、５・ＰＯＳレジスター、６・バーコードリーダー、７・顧客用ディスプレイ、８・プリンター、９・オペレーター用ディスプレイ、１０・キーボード、１２・筐体、１３・ロール紙収納部、１４・用紙搬出口、１５・用紙搬送路、１６・ロール紙、１７・記録用紙、１８・用紙搬送機構、１９・印刷機構、２０・香り付け機構、２１・サーマルヘッド、２２・香料吐出ヘッド、２３・香料供給機構、３０・通信インターフェース、３１・制御部、３２・印刷制御部、３３・クーポン発行制御部、３４・クーポンデータベース（クーポン印刷データ記憶保持部）、３５・クーポン選択発行部、Ａ・印刷位置、Ｂ・香り付け位置
【図１】
2012173908.tif 000003
【図２】
2012173908.tif 000004
【図３】
2012173908.tif 000005